(57)【要約】  本出願による実施形態は、オーバサンプリングＡＤＣのための複数の復調パスを有するＯＦＤＭ（直交周波数分割多重）受信回路及びその方法に関し、該ＯＦＤＭ受信回路またはその方法は、該回路の全体的性能を向上させることができるかまたは改善することができる。
2010508762.tif 000002
【特許請求の範囲】
【請求項１】
ＯＦＤＭ受信回路であって、
受信されたＯＦＤＭ信号を増幅する低ノイズ増幅器と、
前記低ノイズ増幅器の出力信号を受信して、複数のデータを出力する複数の復調パスであって、前記ＯＦＤＭ信号の帯域は、各々が複数のサブキャリアを含む複数の帯域を含み、前記複数の復調パスの各々は、前記複数の帯域のうちの対応する１つの帯域内にある前記低ノイズ増幅器からのダウンコンバージョンされたＯＦＤＭ信号にオーバサンプリングデジタル変換を実施し、デジタルフィルタリングし、復調して、前記複数のデータのうちの１つのデータを出力することを特徴とする複数の復調パスと、
前記複数の復調パスから出力される前記複数のデータを合成するコンバイナと
を備えることを特徴とするＯＦＤＭ受信回路。
【請求項２】
前記低ノイズ増幅器の出力信号をダウンコンバージョンする単一のダウンコンバージョンミキサ、または前記複数の復調パスのうちの対応する１つの復調パスに各々がある前記複数のダウンコンバージョンミキサを備えることを特徴とする請求項１記載の回路。
【請求項３】
前記複数の復調パスの前記各々は、
前記低ノイズ増幅器の前記出力信号をダウンコンバージョンするダウンコンバージョンミキサと、
前記ダウンコンバージョンミキサの出力の前記オーバサンプリングデジタル変換を実施するオーバサンプリングＡＤＣと、
前記複数の復調パスの前記各々に対応する前記複数の帯域のうちの前記帯域内にある前記オーバサンプリングＡＤＣの出力信号のうちの前記信号を通過するデジタルフィルタと、
前記デジタルフィルタの出力を復調する復調器と
を備えることを特徴とする請求項１記載の回路。
【請求項４】
前記複数の復調パスの前記各々は、
前記低ノイズ増幅器の前記出力信号をダウンコンバージョンするダウンコンバージョンミキサと、
前記ダウンコンバージョンミキサからの前記ＯＦＤＭ信号を通過するアナログフィルタと、
前記アナログフィルタからの前記ＯＦＤＭ信号の前記オーバサンプリングデジタル変換を実施するオーバサンプリングＡＤＣと、
前記オーバサンプリングＡＤＣの出力信号のうち、前記複数の復調パスの前記各々に対応する前記複数の帯域のうちの前記帯域内にある前記信号を通過するデジタルフィルタと、
前記デジタルフィルタの出力を復調する復調器と
を備えることを特徴とする請求項１記載の回路。
【請求項５】
前記アナログフィルタはパッシブＲＣフィルタを備えることを特徴とする請求項４記載の回路。
【請求項６】
前記オーバサンプリングＡＤＣのオーバサンプリングレートは２に等しいかまたは２より大きいことを特徴とする請求項３記載の回路。
【請求項７】
前記オーバサンプリングＡＤＣは、シグマデルタＡＤＣを備えることを特徴とする請求項３記載の回路。
【請求項８】
ダウンコンバージョンミキサと前記複数の復調パスとの間に接続された増幅器を備え、前記増幅器は、前記ダウンコンバージョンミキサの前記出力信号を増幅して前記複数の復調パスに入力することを特徴とする請求項１記載の回路。
【請求項９】
前記ＯＦＤＭ信号の前記帯域の中心周波数に最も近い前記複数の帯域のうちの１つの帯域の帯域幅は、前記中心周波数から最も遠い前記複数の帯域のうちの１つの帯域の帯域幅より大きいことを特徴とする請求項１記載の回路。
【請求項１０】
ＯＦＤＭ受信回路であって、
受信されたＯＦＤＭ信号を増幅する低ノイズ増幅器と、
前記低ノイズ増幅器から前記ＯＦＤＭ信号を受信して複数のデータを出力する複数の復調パスであって、前記ＯＦＤＭ信号の帯域は複数の帯域に分割され、前記複数の帯域の各々は複数のサブキャリアを含み、前記複数の復調パスは、少なくとも１つの第１の復調パスを含んで前記複数の帯域のうちの第１の帯域を処理し、少なくとも１つの第２の復調パスは前記第１の帯域とは異なる前記複数の帯域のうちの第２の帯域を処理することを特徴とする複数の復調パスと、
前記複数の復調パスからの前記複数のデータを合成するコンバイナと
を備えることを特徴とする回路。
【請求項１１】
前記第１の復調パスは、
前記低ノイズ増幅器からの前記ＯＦＤＭ信号をダウンコンバージョンする第１のダウンコンバージョンミキサと、
前記第１のダウンコンバージョンミキサからのＯＦＤＭ信号をデジタル変換するオーバサンプリングＡＤＣと、
前記第１の復調パスに対応する帯域内の前記オーバサンプリングＡＤＣの出力信号のうち１つの信号を通過するデジタルフィルタと、
前記デジタルフィルタの出力を復調する第１の復調器と
を備え、
前記第２の復調パスは、
前記低ノイズ増幅器からの前記ＯＦＤＭ信号をダウンコンバージョンする第２のダウンコンバージョンミキサと、
前記第２の復調パスに対応する帯域内の前記第２のダウンコンバージョンミキサからの前記ＯＦＤＭ信号のうち１つの信号を通過するアナログフィルタと、
前記アナログフィルタの出力信号をデジタル変換するナイキストレートＡＤＣと、
前記ナイキストレートＡＤＣの出力を復調する第２の復調器と
を備えることを特徴とする請求項１０記載の回路。
【請求項１２】
前記オーバサンプリングＡＤＣは、シグマデルタＡＤＣを備えることを特徴とする請求項１１記載の回路。
【請求項１３】
前記オーバサンプリングＡＤＣは、シグマデルタＡＤＣを備え、前記オーバサンプリングＡＤＣのオーバサンプリングレートは、２に等しいかまたは２より大きく、前記ナイキストレートＡＤＣのオーバサンプリングレートは１に等しいかまたは１より大きくかつ２より小さいことを特徴とする請求項１１記載の回路。
【請求項１４】
前記低ノイズ増幅器の出力信号をダウンコンバージョンするダウンコンバージョンミキサを更に備え、
前記第１の復調パスは、
前記ダウンコンバージョンミキサからのＯＦＤＭ信号をデジタル変換するオーバサンプリングＡＤＣと、
前記第１の復調パスに対応する帯域内の前記オーバサンプリングＡＤＣの出力信号のうち１つの信号を通過するデジタルフィルタと、
前記デジタルフィルタの出力を復調する第１の復調器と
を備え、
前記第２の復調パスは、
前記第２の復調パスに対応する帯域内の前記ダウンコンバージョンミキサからの前記ＯＦＤＭ信号のうちの１つの信号を通過するアナログフィルタと、
前記アナログフィルタの出力信号をデジタル変換するナイキストレートＡＤＣと、
前記ナイキストレートＡＤＣの出力を復調する第２の復調器と
を備えることを特徴とする請求項１０記載の回路。
【請求項１５】
ＯＦＤＭ受信方法であって、
受信されたＯＦＤＭ信号を増幅するステップと、
前記増幅されたＯＦＤＭ信号から複数の第１のデジタル信号を獲得するステップであって、前記ＯＦＤＭ信号の帯域は複数の帯域に分割され、前記複数の帯域の各々は複数のサブキャリアを含み、前記複数の第１のデジタル信号の各々は、前記増幅されたＯＦＤＭ信号をダウンコンバージョンすることによりかつ前記ダウンコンバージョンされたＯＦＤＭ信号のうち前記複数の第１のデジタル信号の各々に対応する前記複数の帯域のうちの１つの帯域内にある１つの信号をオーバサンプリングデジタル変換することにより得られることを特徴とするステップと、
前記複数の第１のデジタル信号をデジタルフィルタリングして複数の第２のデジタル信号を獲得するステップと、
前記複数の第２のデジタル信号を復調して複数のデータを獲得するステップと
を備えることを特徴とする方法。
【請求項１６】
前記受信されたＯＦＤＭ信号に対応する復調されたデータを獲得するために、前記複数のデータを合成するステップを備えることを特徴とする請求項１５記載の方法。
【請求項１７】
前記増幅されたＯＦＤＭ信号をダウンコンバージョンするステップを備え、前記オーバサンプリングデジタル変換は、シグマデルタＡＤＣにより実施されることを特徴とする請求項１５記載の方法。
【請求項１８】
前記ＯＦＤＭ信号の前記帯域の中心周波数に最も近い前記複数の帯域のうちの１つの帯域の帯域幅は、前記中心周波数から最も遠い前記複数の帯域のうちの１つの帯域の帯域幅より大きいことを特徴とする請求項１５記載の方法。
【発明の詳細な説明】
【技術分野】
【０００１】
本発明概念は、該して、ＯＦＤＭ（直交周波数分割多重）受信回路に関し、特に、オーバサンプリングＡＤＣの性能を改善する複数の復調パスを有するＯＦＤＭ受信回路に関する。
【背景技術】
【０００２】
ＯＦＤＭは、マルチキャリア変調方式の一種である。直列に入力されるシンボルアレイは、Ｎブロックユニットごとの並列形式に変換される。次に各要素シンボルは相互に直交性を有するサブキャリアに変調される。次にサブキャリアが、伝送のために付加される。ＯＦＤＭは、無線通信環境で生じるマルチパスフェージングに強くかつ高速データ伝送が可能である。それ故、ＯＦＤＭの使用は増加している。ＯＦＤＭは、ワイヤレスＬＡＮ（例えば、ＩＥＥＥ８０２．１１ａ）、ＷｉＢｒｏ（無線ブロード）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、及び地上波ＤＭＢ（デジタルマルチメディア放送）の伝送方法として使用される。
【０００３】
図１は、従来のＯＦＤＭ受信回路を示す図である。図１に示すように、従来のＯＦＤＭ受信回路は、低ノイズ増幅器１１、ダウンコンバージョンミキサ１３、可変利得増幅器１５、フィルタ１７、ＡＤＣ（アナログデジタル変換器）１９、復調器２１、及び局部発振器２３を含む。
【０００４】
図１に示された従来のＯＦＤＭ受信回路は、ＣＤＭＡ受信回路などの他の受信回路と同様に単一の復調パスを有する。単一の復調パスとは、ＯＦＤＭ信号帯域のための単一のフィルタ１７（フィルタ１７はＩチャネルフィルタとＱチャネルフィルタとに分けられるが、ＩチャネルフィルタとＱチャネルフィルタとは便宜上単一のフィルタ１７と見なされる）、単一のＡＤＣ１９（ＡＤＣ１９はＩチャネルＡＤＣとＱチャネルＡＤＣとに分けられるが、ＩチャネルＡＤＣとＱチャネルＡＤＣとは便宜上単一のＡＤＣ１９と見なされる）、及び単一の復調器２１をいう。例えば、Ｗｉｂｒｏ標準では、単一のフィルタ１７、単一のＡＤＣ１９、及び単一の復調器２１は、８．７５ＭＨｚの帯域幅を有していてかつ８４１のサブキャリアを含むＯＦＤＭ信号に使用される。この場合、ナイキストレートＡＤＣ１９は、１０ＭＨｚのサンプリング周波数を有する。
【０００５】
図２は、図１の従来のＯＦＤＭ受信回路のダウンコンバージョンミキサ１３を通過した後の受信信号を示す図である。図２において、＋ＦBと−ＦBとの間の帯域が、ＯＦＤＭ信号帯域に対応する。Ｗｉｂｒｏ標準によれば、＋ＦBは、４.３７５ＭＨｚに相当する。更に、ナイキストレートＡＤＣ１９が使用される場合のフィルタ１７の周波数応答が図２に示されている。
【０００６】
一方、オーバサンプリングが実施される場合に、ＡＤＣの能力が改善され得ることは周知である。オーバサンプリングが実施される場合、周波数帯域内（＋ＦBと−ＦBとの間）のＳＮＲ（信号対雑音比）は、方程式１で表すことができる。
【０００７】
【数１】
2010508762.tif 000003
【０００８】
ここで、ＰSは入力信号のパワーを示し、ＶFSは入力信号全体のダイナミックレンジを示し、Ｎは量子化ビット数を示し、ＯＳＲはオーバサンプリングレートを示しており、サンプリング周波数がＦＳの場合にＯＳＲは（ＦＳ／２）／Ｆｂに一致する。
【０００９】
方程式１に示すように、ＯＳＲが倍になると、３ｄＢの性能向上が得られる。性能向上により分解能における０.５ビットの増加が等しくもたらされる。即ち、オーバサンプリングＡＤＣの原理は、ＡＤＣにより獲得されるビット数を等しく増加させるサンプリング周波数の増加により量子化雑音のパワーを減少させるということである。
【００１０】
しかしながら、Ｗｉｂｒｏ標準に準拠するＯＦＤＭは８.７５ＭＨｚの信号帯域を有するので、オーバサンプリングを実施するために、１．２５ＭＨｚの信号帯域を有するＩＳ９５に準拠したＣＤＭＡの信号帯域よりずっと高いサンプリング周波数を必要とする。例えば、ＯＳＲが８である場合に、ＡＤＣのサンプリング周波数Ｆｓは、７０ＭＨｚ（＝８＊８.７５ＭＨｚ）でなければならない。更に、システム性能を改善するためにＯＳＲを大きくするために、ＯＳＲに比例して高くなるサンプリング周波数Ｆｓが必要である。しかしながら、サンプリング周波数が高くなると、アパーチャエラー及びクロックジッタによるエラーが増加する。このことはサンプリング周波数の増加を制限する。従って、オーバサンプリングＡＤＣを図１のＯＦＤＭ受信回路に適用することは難しい。オーバサンプリングＡＤＣを適用できるときでも、ＯＳＲを大きくすること（例えば、８を上回る値を有すること）は難しい。
【００１１】
上記で言及したことは、追加の詳細もしくは代替的な詳細、特徴及び／または背景技術についての適当な示唆に適した本明細書に、参照することにより包含される。
【発明の概要】
【発明が解決しようとする課題】
【００１２】
本発明概念の目的は、該して、少なくとも上記の問題及び／もしくは不利な点を解決することであり、または少なくとも全体もしくは一部として少なくとも以下に説明される利点及び／もしくは有用性を提供することである。
【００１３】
本出願の別の目的は、サンプリング周波数とＯＳＲとの間の相関を越えて、サンプリング周波数をそれほど高くすることなしにＯＳＲを大きくすることである。それはオーバサンプリングＡＤＣ及び／またはＯＦＤＭ受信回路の全体的性能を向上させることができる。
【課題を解決するための手段】
【００１４】
全体または一部として本出願の実施形態の目的及び／または有用性を実現するために、ＯＦＤＭ受信回路が設けられる。ＯＦＤＭ受信回路は、受信されたＯＦＤＭ信号を増幅する低ノイズ増幅器と、低ノイズ増幅器の出力信号をダウンコンバージョンするダウンコンバージョンミキサと、ダウンコンバージョンミキサから出力されるＯＦＤＭ信号を受信して複数のデータを出力する複数の復調パスとを含むことができる。ダウンコンバージョンミキサから出力されるＯＦＤＭ信号の帯域は複数の帯域に分割され、複数の帯域の各々は複数のサブキャリアを含んでおり、複数の復調パスの各々は、複数の復調パスの各々に対応している複数の帯域のうちの１つの帯域内の信号をオーバサンプリングデジタル変換し、デジタルフィルタリングし、かつ復調されることにより獲得される複数のデータのうちの１つのデータを出力する。ＯＦＤＭ受信回路は更に、複数の復調パスから出力される複数のデータを合成するコンバイナを含むことができる。
【００１５】
また、全体または一部として本出願の実施形態の目的及び／または有用性を実現するために、ＯＦＤＭ受信回路が設けられる。ＯＦＤＭ受信回路は、受信されたＯＦＤＭ信号を増幅する低ノイズ増幅器と、低ノイズ増幅器の出力信号をダウンコンバージョンするダウンコンバージョンミキサと、ダウンコンバージョンミキサから出力されるＯＦＤＭ信号を受信して複数のデータを出力する複数の復調パスとを含むことができる。ダウンコンバージョンミキサから出力されるＯＦＤＭ信号の帯域は複数の帯域に分割され、複数の帯域の各々は複数のサブキャリアを含んでおり、複数の復調パスは、少なくとも１つの第１の復調パス及び少なくとも１つの第２の復調パスを含む。ＯＦＤＭ受信回路は更に、複数の復調パスから出力される複数のデータを合成するコンバイナを含む。第１の復調パスは、ダウンコンバージョンミキサから出力されるＯＦＤＭ信号をデジタル変換するオーバサンプリングＡＤＣ、オーバサンプリングＡＤＣの出力信号のうち第１の復調パスに対応する帯域内にある１つの信号を通過するデジタルフィルタ、デジタルフィルタの出力を復調して第１の復調パスに対応する複数のデータのうちの１つを獲得する第１復調器を含むことができ、第２の復調パスは、第２の復調パスに対応する帯域内のダウンコンバージョンミキサから出力されるＯＦＤＭ信号の１つの信号を通過するアナログフィルタ、アナログフィルタの出力信号をデジタル変換するナイキストレートＡＤＣ、及びナイキストレートＡＤＣの出力を復調して第２の復調パスに対応する複数のデータのうちの１つを獲得する第２の復調器を含む。
【００１６】
また、全体または一部として本出願の実施形態の目的及び有用性を実現するために、ＯＦＤＭ受信方法が提供される。ＯＦＤＭ受信方法は、（ａ）受信されたＯＦＤＭ信号を増幅するステップと、（ｂ）増幅されたＯＦＤＭ信号をミキサを使用してダウンコンバージョンするステップと、（ｃ）ダウンコンバージョンされたＯＦＤＭ信号から複数のデジタル信号を獲得するステップと、を含むことができる。ダウンコンバージョンされたＯＦＤＭ信号の帯域は複数の帯域へ分割され、複数の第１のデジタル信号の各々は、複数の第１のデジタル信号の各々に対応する複数の帯域のうちの１つの帯域内の信号をオーバサンプリングデジタル変換することにより獲得される。ＯＦＤＭ受信方法は更に、（ｄ）複数の第１のデジタル信号をデジタルフィルタリングして複数の第２のデジタル信号を獲得するステップと、（ｅ）複数の第２のデジタル信号を復調して複数のデータを獲得するステップと、を含むことができる。
【００１７】
また、全体でまたは一部として、本出願の実施形態の目的及び／または有用性を実現するために、ＯＦＤＭ受信回路が設けられる。ＯＦＤＭ受信回路は、受信されたＯＦＤＭ信号を増幅する低ノイズ増幅器と、低ノイズ増幅器の出力信号を受信して複数のデータを出力する複数の復調パスとを含むことができる。ＯＦＤＭ信号の帯域は複数の帯域を含み、各々は複数のサブキャリアを含み、複数の復調パスの各々は、複数の帯域のうちの対応する帯域内にある低ノイズ増幅器からのダウンコンバージョンされたＯＦＤＭ信号をオーバサンプリングデジタル変換し、デジタルフィルタリングし、かつ復調して複数のデータのうちの１つのデータを出力する。ＯＦＤＭ受信回路は更に、複数の復調パスから出力される複数のデータを合成するコンバイナを含むことができる。
【００１８】
また、全体でまたは一部として、本出願の実施形態の目的及び／または有用性を実現するために、ＯＦＤＭ受信回路が設けられる。ＯＦＤＭ受信回路は、受信されたＯＦＤＭ信号を増幅する低ノイズ増幅器と、低ノイズ増幅器からＯＦＤＭ信号を受信して複数のデータを出力する複数の復調パスと、を含むことができる。ＯＦＤＭ信号の帯域は複数の帯域に分割され、複数の帯域の各々は複数のサブキャリアを含んでおり、複数の復調パスは、少なくとも１つの第１の復調パスを含み複数の帯域のうちの第１の帯域を処理し、少なくとも１つの第２の復調パスは、複数の帯域のうちの第１の帯域とは異なった第２の帯域を処理する。ＯＦＤＭ受信回路は更に、複数の復調パスからの複数のデータを合成するコンバイナを含むことができる。
【００１９】
また、全体でまたは一部として、本出願の実施形態の目的及び／有用性を実現するために、ＯＦＤＭ受信方法が提供される。ＯＦＤＭ受信方法は、受信されたＯＦＤＭ信号を増幅するステップと、増幅されたＯＦＤＭ信号から複数の第１のデジタル信号を獲得するステップと、を含むことができる。ＯＦＤＭ信号の帯域は複数の帯域に分割され、複数の帯域の各々は複数のサブキャリアを含み、複数の第１のデジタル信号の各々は増幅されたＯＦＤＭ信号をダウンコンバージョンしかつ複数の第１のデジタル信号の各々に対応する複数の帯域のうちの１つの帯域内のダウンコンバージョンされたＯＦＤＭ信号の信号をオーバサンプリングデジタル変換し、第１のデジタル信号をデジタルフィルタリングして複数の第２のデジタル信号を獲得することにより獲得される。ＯＦＤＭ受信方法は更に、複数のデジタル信号を復調して複数のデータを獲得するステップと、複数のデータを合成して受信されたＯＦＤＭ信号に対応する復調されたデータを獲得するステップと、を含む。
【発明の効果】
【００２０】
本発明の更なる利点、目的、及び特徴は、以下の詳細な説明にある程度記載されており、ある程度下記を検討することにより当業者に明らかになってもよいし、または、本発明の実施から理解されてもよい。本発明の目的及び利点は、添付の請求の範囲において特に指摘されるように実現されかつ達成されてもよい。  
本発明は、類似の参照番号が類似の要素を示す以下の図面を参照して詳述される。
【００２１】
関連出願についてのクロス・リファレンス  
本出願は、韓国特許庁において２００６年１０月３０日に出願され、全体として参照することによりその開示を本明細書に包含している、韓国特許出願第１０−２００６−０１０５４７１号についての３５Ｕ．Ｓ．Ｃ．§１１９（ａ）に基く優先権を主張している。
【図面の簡単な説明】
【００２２】
【図１】従来のＯＦＤＭ受信回路を示す図である。
【図２】図１の従来のＯＦＤＭ受信回路のダウンコンバージョンミキサを通過した後の受信信号を示す図である。
【図３】３つの復調パス及びオーバサンプリングＡＤＣを有する本出願による第１の実施形態によるＯＦＤＭ受信回路を示す図である。
【図４ａ】第１のアナログフィルタ３７Ａの周波数応答を示す図である。
【図４ｂ】第２のアナログフィルタ３７Ｂの周波数応答を示す図である。
【図４ｃ】第３のアナログフィルタ３７Ｃの周波数応答を示す図である。
【図５ａ】復調パスの周波数が高くなるにつれて選択されたサブキャリアの数が減少する場合の、ダウンコンバージョンミキサ３３の出力信号を示す図である。
【図５ｂ】復調パスの周波数が高くなるにつれて選択されたサブキャリアの数が減少する場合の、第１のオーバサンプリングＡＤＣ３９Ａの出力信号を示す図である。
【図５ｃ】復調パスの周波数が高くなるにつれて選択されたサブキャリアの数が減少する場合の、第２のオーバサンプリングＡＤＣ３９Ｂの出力信号を示す図である。
【図５ｄ】復調パスの周波数が高くなるにつれて選択されたサブキャリアの数が減少する場合の、第３のオーバサンプリングＡＤＣ３９Ｃの出力信号を示す図である。
【図６】３つの復調パス及びオーバサンプリングＡＤＣとナイキストレートＡＤＣとの組み合わせを有している本出願の第２の実施形態によるＯＦＤＭ受信回路を示す図である。
【図７】復調パスがダウンコンバージョンミキサから始まっていて３つの復調パスを有する本出願の第３の実施形態によるＯＦＤＭ受信回路を示す図である。
【図８】復調パスがダウンコンバージョンミキサから始まる３つの復調パス及びオーバサンプリングＡＤＣとナイキストレートＡＤＣとの組み合わせを有する本出願の第４の実施形態によるＯＦＤＭ受信回路を示す図である。
【発明を実施するための形態】
【００２３】
本発明概念による例示的な実施形態が概括的にここで添付図面を参照して詳述される。詳細な説明及び特許請求の範囲において使用される用語及び文言の解釈は、一般的な意味または文字通りの意味に限定されてはならない。本発明概念の例示的実施形態は、概して当業者に対して本出願をより完全に説明するために提供される。
【００２４】
図３は、本出願の第１の実施形態によるＯＦＤＭ受信回路を示す図である。図３に示すように、ＯＦＤＭ受信回路は、３つの変調パス及びオーバサンプリングＡＤＣを有する。
【００２５】
図３に示すように、ＯＦＤＭ受信回路は、低ノイズ増幅器３１、ダウンコンバージョンミキサ３３、可変利得増幅器３５、複数のアナログフィルタ３７Ａ、３７Ｂ、及び３７Ｃ、複数のオーバサンプリングＡＤＣ３９Ａ、３９Ｂ、及び３９Ｃ、複数のデジタルフィルタ４１Ａ、４１Ｂ、及び４１Ｃ、複数の復調器４３Ａ、４３Ｂ、及び４３Ｃ、コンバイナ４５、並びに局部発振器４７を含むことができる。示されたＯＦＤＭ受信回路は３つの復調パスを含む。しかしながら、本出願の実施形態は、かかる例示的な開示により限定されることを意図していない。３つの復調パスのうちの第１の復調パスは、第１のアナログフィルタ３７Ａ、第１のオーバサンプリングＡＤＣ３９Ａ、及び第１の復調器４３Ａを含むことができる。３つの復調パスのうちの第２の復調パスは、第２のアナログフィルタ３７Ｂ、第２のオーバサンプリングＡＤＣ３９Ｂ、及び第２の復調器４３Ｂを含むことができ、３つの復調パスのうちの第３の復調パスは、第３のアナログフィルタ３７Ｃ、第３のオーバサンプリングＡＤＣ３９Ｃ、第３のデジタルフィルタ４１Ｃ、及び第３の復調器４３Ｃを含むことができる。
【００２６】
低ノイズ増幅器３１は、受信されたＲＦ信号を低ノイズ増幅して、増幅された信号をダウンコンバージョンミキサ３３に送信する。図示していないが、追加の増幅器が、低ノイズ増幅器３１とダウンコンバージョンミキサ３３との間に置かれてもよい。
【００２７】
ダウンコンバージョンミキサ３３は、低ノイズ増幅器３１から送信される受信されたＲＦ信号をダウンコンバージョンし、ダウンコンバージョンされた信号を出力する。このことを実現するために、ダウンコンバージョンミキサ３３は、受信されたＲＦ信号に局部発振器４３により出力される同相信号を乗ずることにより獲得される値及び、受信されたＲＦ信号に局部発振器４３により出力される直交信号を乗ずることにより獲得される値を出力することが望ましい。
【００２８】
増幅器の一種である可変利得増幅器３５は、ダウンコンバージョンミキサ３３の出力信号を増幅して、増幅された出力信号を出力する。可変利得増幅器３５は、省略されてもよい。更に、可変利得増幅器３５は、３つのアナログフィルタ３７Ａ、３７Ｂ及び３７ＣとオーバサンプリングＡＤＣ３９Ａ、３９Ｂ及び３９Ｃとの間に置かれてもよい。例えば、示されたＯＦＤＭ受信回路は３つの変調パスを有するので、３つの可変利得増幅器を必要としてもよい。更に、可変利得増幅器３５は、ダウンコンバージョンミキサ３３とアナログフィルタ３７Ａ、３７Ｂ及び３７Ｃとの間、かつ／またはアナログフィルタ３７Ａ、３７Ｂ及び３７ＣとオーバサンプリングＡＤＣ３９Ａ、３９Ｂ及び３９Ｃとの間に置かれてもよい。
【００２９】
アナログフィルタ３７Ａ、３７Ｂ、及び３７Ｃの各々は、可変利得増幅器３５の出力信号のうちの予め定められた帯域の信号を選択的に出力することができる。第１のアナログフィルタ３７Ａ、第２のアナログフィルタ３７Ｂ及び第３のアナログフィルタ３７Ｃの周波数応答は、それぞれ図４ａ、図４ｂ、及び図４ｃに示される。図４ａに示すように、第１のアナログフィルタ３７Ａは、ローパスフィルタであって、受信されたＯＦＤＭ信号（例えば、合計８４１のサブキャリアを含む）から、低周波を有する予め定められた数のサブキャリアＡを選択的に出力してもよい。図４ｂに示すように、第２のアナログフィルタ３７Ｂは、受信されたＯＦＤＭ信号（例えば、合計８４１のサブキャリアを含む）から、中間周波数を有する予め定められた数のサブキャリアＢを選択的に出力する帯域通過フィルタであってもよい。図４ｃに示すように、第３のアナログフィルタ３７Ｃは、受信されたＯＦＤＭ信号（例えば、合計８４１のサブキャリアを含む）から高周波数を有する予め定められた数のサブキャリアＣを選択的に出力する帯域通過フィルタであってもよい。
【００３０】
図１及び図２に示されたアナログフィルタ１７はアンチエイリアス機能及びチャネル選択機能（例えば、所望のＯＦＤＭ信号以外の帯域の信号、即ち干渉信号を除去する機能、）を実施するので、アナログフィルタ１７の利得は、通過帯域（−ＦBと＋ＦBとの間）の外側で素早く減少されなければならない。かかる周波数特性を満足させるために、アナログフィルタ１７は、アクティブＲＣフィルタでなければならない。アクティブＲＣフィルタは演算増幅器を含むので、アクティブＲＣフィルタはかなり大きい領域を占める。反対に、複数のオーバサンプリングＡＤＣ３９Ａ、３９Ｂ、及び３９Ｃの後に追加される複数のデジタルフィルタ４１Ａ、４１Ｂ、及び４１Ｃがチャネル選択機能を実施することができるので、図３−４ｃに示された複数のアナログフィルタ３７Ａ、３７Ｂ、及び３７Ｃはアンチエイリアス機能を実施するだけで十分である。複数のアナログフィルタ３７Ａ、３７Ｂ、及び３７Ｃはアンチエイリアス機能を実施するだけで十分であり、複数のオーバサンプリングＡＤＣ３９Ａ、３９Ｂ、及び３９Ｃのサンプリング周波数Ｆｓが非常に高いかまたは更に高くされるので、複数のアナログフィルタ３７Ａ、３７Ｂ、及び３７Ｃの利得は、帯域幅Ａ、Ｂ、及びＣの外側でゆっくり減少してもよい。かかる周波数特性は、単純なＲＣフィルタなどのパッシブＲＣフィルタを使用することにより十分に満足され得る。パッシブＲＣフィルタは演算増幅器を含まないので、パッシブＲＣフィルタはアクティブＲＣフィルタと比較して小さい領域を占める。
【００３１】
別の実施形態において、複数のオーバサンプリングＡＤＣ３９Ａ、３９Ｂ及び３９Ｃは場合によっては入力信号のうちの予め定められた帯域内の信号を通過することができる。例えば、複数のオーバサンプリングＡＤＣ３９Ａ、３９Ｂ、及び３９Ｃがローパスフィルタまたは帯域通過フィルタとして動作することがあってもよく、複数のアナログフィルタ、３７Ａ、３７Ｂ、及び３７Ｃは、その場合省略されてもよい。
【００３２】
オーバサンプリングＡＤＣ３９Ａ、３９Ｂ、及び３９Ｃは、入力信号をデジタル信号に変換する。オーバサンプリングＡＤＣ３９Ａ、３９Ｂ、及び３９ＣのＯＳＲは、２に等しいかまたは２より大きくなければならない。好ましくは、オーバサンプリングＡＤＣ３９Ａ、３９Ｂ、及び３９Ｃの各々は、ノイズシェーピングを実施するシグマデルタ（ΣΔ）ＡＤＣを含む。シグマデルタＡＤＣは量子化雑音を除去するノイズシェーピングを実施するので、シグマデルタＡＤＣは、ＡＤＣの性能が改善されるという点において有利である。更に、シグマデルタＡＤＣは、ローパスフィルタ（３９Ａの場合）または帯域通過フィルタ（３９Ｂ及び３９Ｃの場合）として動作することができるので、アナログフィルタ３７Ａ、３７Ｂ、及び３７Ｃが省略されてもよいという点においてシグマデルタＡＤＣは有利である。
【００３３】
図３に示されたように３つの復調パスがあるので、オーバサンプリング３９Ａ、３９Ｂ及び３９Ｃの各々に入力される信号の帯域幅は、従来技術と比較して非常に（例えば、約１/３に）狭くなる。従って、本発明概念によれば、概して、ＯＳＲ＝（Ｆｓ／２）／ＦBのＦBが小さくなるのでＯＳＲが大きくなり、その結果ＳＮＲ（例えば、分解能を同等に高くする）を大きくする。
【００３４】
デジタルフィルタ４１Ａ、４１Ｂ、及び４１Ｃの各々は、入力信号のうちの予め定められた帯域内の信号を選択的に出力することができる。例えば、第１のデジタルフィルタ４１Ａは、図４ａのＡに一致する帯域を有する信号を選択的に出力する。第２のデジタルフィルタ４１Ｂは、図４ｂのＢに一致する帯域を有する信号を選択的に出力する。第３のデジタルフィルタ４１Ｃは、図４ｃのＣに一致する帯域を有する信号を選択的に出力する。このことを実現するために、第１のデジタルフィルタ４１Ａはローパスフィルタであって、第２のデジタルフィルタ４１Ｂ及び第３のデジタルフィルタ４１Ｃは、それぞれ帯域通過フィルタであることが望ましい。
【００３５】
パッシブＲＣフィルタがアナログフィルタ３７Ａ、３７Ｂ、及び３７Ｃとして使用される場合、オーバサンプリングＡＤＣ３９Ａ、３９Ｂ、及び３９Ｃの出力は、アナログフィルタ３７Ａ、３７Ｂ、及び３７Ｃの低品質のチャネル選択性が原因で大量の干渉信号を含むかもしれない。デジタルフィルタ４１Ａ、４１Ｂ、及び４１Ｃは、干渉信号を除去するかまたは減少させてチャネル選択性を改善することができる。更に、シグマデルタＡＤＣの場合には、シグマデルタＡＤＣの出力信号に含まれる量子化雑音信号は、周波数が歪んでいて、所望の周波数帯域内の小さいスペクトル及び他の周波数帯域内の大きいスペクトルを有する。従って、デジタルフィルタ４１Ａ、４１Ｂ、及び４１Ｃは、所望の帯域以外の帯域内の信号（例えば、ノイズ信号を含む）を減少させるかまたは除去して、オーバサンプリングＡＤＣ３９Ａ、３９Ｂ、及び３９Ｃの性能を改善することができる。
【００３６】
復調器４３Ａ、４３Ｂ、及び４３Ｃは、デジタルフィルタ４１Ａ、４１Ｂ、及び４１Ｃから出力される信号をそれぞれ受信して、復調を実施する。復調器４３は、ＦＦＴ（高速フーリエ変換）を実施して、復調器４３に入力されるサブキャリアに含まれるデータを抽出し、抽出されたデータをコンバイナ４５に送信することができる。例えば、第１の復調器４３Ａは、ＯＦＤＭ信号（例えば、合計８４１のサブキャリアを有する）のうちの低周波数を有するサブキャリアＡの予め定められた数を受信して、復調により獲得されるデータをコンバイナ４５に送信することができる。第２の復調器４３Ｂは、ＯＦＤＭ信号（例えば、合計８４１のサブキャリアを有する）のうちの中間周波数を有するサブキャリアＢの予め定められた数を受信して、復調により獲得されるデータをコンバイナ４５に送信することができる。第３の復調器４３Ｃは、ＯＦＤＭ信号（例えば、合計８４１のサブキャリアを有する）のうちの高周波数を有するサブキャリアＣの予め定められた数を受信して、復調により獲得されるデータをコンバイナ４５に送信することができる。
【００３７】
コンバイナ４５は、復調器４３Ａ、４３Ｂ及び４３Ｃから出力されるデータを合成することにより獲得されるＯＦＤＭ信号帯域についての受信データを出力することができる。
【００３８】
局部発振器４７は、同相信号及び直交信号をダウンコンバージョンミキサ３３に与える。
【００３９】
３つの復調パスを有するＯＦＤＭ受信回路が上記に説明されているが、２つ以上の復調パスがあれば足りる。例えば、復調パスは４つ以上であってもよい。更に、詳細な説明及び特許請求の範囲は、「ＯＦＤＭ信号の帯域は、複数の帯域Ａ、Ｂ、及びＣに分割される」ことに言及しているが、詳細な説明及び特許請求の範囲は、複数の帯域の合計がＯＦＤＭ信号の帯域であるといった場合に限定されない。例えば、複数の帯域Ａ、Ｂ、及びＣの合計は、ＯＦＤＭ信号の帯域と同じであってもよいしまたはそれより小さくてもよく、複数の帯域Ａ、Ｂ、及びＣが重なるなどしてもよい。
【００４０】
復調パス（例えば、第１の復調パスから第３の復調パスまで）は、同じ数のサブキャリアまたは近い数のサブキャリアを復調してもよい。復調パスの各々は、８４１／３個に近い数のサブキャリアを復調してもよい。例えば、第１の復調パス、第２の復調パス、及び第３の復調パスは、それぞれ２６０のサブキャリア、２６０のサブキャリア、及び２６１のサブキャリアを復調してもよい。
【００４１】
更に、第１の復調パスから第３の復調パスは、異なる数のサブキャリアを復調してもよい。その場合、ＯＦＤＭ信号帯域の中心周波数と復調パスのうちの１つにより使用される帯域の周波数との間の隔たりが大きくなるにつれて、復調パスのうちの１つにより使用される帯域の帯域幅が狭くなるということが望ましい。例えば、第１の復調パスが最大数のサブキャリアを復調し、第３の復調パスが最小数のサブキャリアを復調するということが望ましい。例えば、第１の復調パス、第２の復調パス、及び第３の復調パスは、４５０のサブキャリア、２５０のサブキャリア、及び１４１のサブキャリアを復調することができる。ダウンコンバージョンミキサ３３、第１のオーバサンプリングＡＤＣ３９Ａ、第２のオーバサンプリングＡＤＣ３９Ｂ及び第３のオーバサンプリングＡＤＣ３９Ｃの例示的な出力信号が、図５ａ、図５ｂ、図５ｃ及び図５ｄにそれぞれ示される。
【００４２】
図５ｂに示された第１のオーバサンプリングＡＤＣ３９Ａの出力信号及び図５ｄに示された第３のオーバサンプリングＡＤＣ３９Ｃの出力信号を比較すると、第１のオーバサンプリングＡＤＣ３９Ａの復調された帯域Ａは、第３のオーバサンプリングＡＤＣ３９Ｃの復調された帯域Ｃより広いので、第１のオーバサンプリングＡＤＣ３９ＡＣの性能は、ＯＳＲのアスペクトにおいて第３のオーバサンプリングＡＤＣ３９Ｃの性能より劣っているかもしれない。更に、第１のオーバサンプリングＡＤＣ３９Ａの干渉信号は、第３のオーバサンプリングＡＤＣ３９Ｃの干渉信号より小さいかもしれないので、即ち、第１のオーバサンプリングＡＤＣ３９Ａの入力信号全体のダイナミックレンジＶFBが第３のオーバサンプリングＡＤＣ３９ＣのダイナミックレンジＶFBより小さいので、第１のオーバサンプリングＡＤＣ３９Ａの性能は、ダイナミックレンジＶFB（例えば、方程式１を参照すると、ダイナミックレンジＶFBが増加するにつれて、性能は低下する）のアスペクトにおいて第３のオーバサンプリングＡＤＣ３９Ｃの性能より優れている。従って、入力信号全体のＯＳＲのアスペクト及びダイナミックレンジＶFBを考慮すると、第１のオーバサンプリングＡＤＣの性能は、第３のオーバサンプリングＡＤＣ３９Ｃの性能に実質的に類似するかまたは等しいとみなすことができる。
【００４３】
上記のように、高周波を有する復調パスに対して復調周波数帯が狭くなる場合、３つの復調パスの周波数帯が広くなるにつれて増加する干渉信号により生じるＳＮＲの減少を、ＯＳＲ（例えば、狭くなる信号帯域）により補償することができる。複数の復調パスに対してＳＮＲを実質的に維持するために３つの復調パスの周波数帯域が広くなるにつれてＯＳＲが増加することが望ましい。かかる検討により、ＯＦＤＭ受信回路の全体的性能を改善することができるかまたは向上させることができる。
【００４４】
図６は、本出願の第２の実施形態によるＯＦＤＭ受信回路を示す図である。図６に示すように、ＯＦＤＭ受信回路は、３つの変調パス及びオーバサンプリングＡＤＣとナイキストレートＡＤＣとの組み合わせを有することができる。
【００４５】
図６に示すように、第２の実施形態によるＯＦＤＭ受信回路の第２の復調パス及び第３の復調パスは、第１の実施形態に関して説明したように第２のオーバサンプリングＡＤＣ３９Ｂ及び第３のオーバサンプリングＡＤＣ３９Ｃを使用することができる。第２のオーバサンプリングＡＤＣ３９Ｂ及び第３のオーバサンプリングＡＤＣ３９Ｃを使用する第２の復調パス及び第３の復調パスの性能の改善は、上記と同じである。
【００４６】
第２の実施形態によるＯＦＤＭ受信回路の第１の復調パスは、ナイキストレートＡＤＣ３９Ａ’を使用することが望ましい。従って、第１の復調パスは、図６に示されたようにデジタルフィルタを含まなくてもよいしまたは図６とは逆にデジタルフィルタ（図示せず）を含んでもよい。第１の復調パスがデジタルフィルタを含む場合、干渉信号はさらに減少され得るかまたは除去され得る。アクティブＲＣフィルタは、アナログフィルタ３７’として使用されてもよい。通過帯域幅が狭くなるにつれて、アクティブＲＣフィルタ３７Ａ’の周波数特性または電力消費は改善され、ナイキストレートＡＤＣ３９Ａ’のアパーチャエラー及びクロックジッタにより生じる性能低下は、そのサンプリング周波数が低くなるにつれて減少する。従って、ナイキストレートＡＤＣ３９Ａを使用する第１の復調パスも、従来の技術と比較して改善された性能を有する。ナイキストレートＡＤＣ３９Ａ’のＯＳＲは、１に等しいかまたは１より大きくかつ２未満であり得る。
【００４７】
ナイキストレートＡＤＣ３９Ａ’は、図６に示された第１の復調パスにおいてだけ使用されるが、本出願の実施形態によるナイキストレートＡＤＣを使用する復調パスは、最も低い周波数帯域を有する第１の復調パスに限定されない。
【００４８】
図７は、本出願の第３の実施形態によるＯＦＤＭ受信回路を示す図である。図７に示すように、ＯＦＤＭ受信回路は、３つの変調パスを有することができ、復調パスはダウンコンバージョンミキサから始まることができる。
【００４９】
図７に示すように、ＯＦＤＭ受信回路は、低ノイズ増幅器３１、ダウンコンバージョンミキサ３３Ａ、３３Ｂ、及び３３Ｃ、可変利得増幅器３５Ａ、３５Ｂ、及び３５Ｃ、複数のアナログフィルタ３７Ａ、３７Ｂ、及び３７Ｃ、複数のオーバサンプリングＡＤＣ３９Ａ、３９Ｂ、及び３９Ｃ、複数のデジタルフィルタ４１Ａ、４１Ｂ、及び４１Ｃ、複数の復調器４３Ａ、４３Ｂ、及び４３Ｃ、コンバイナ４５、並びに局部発振器４７を含むことができる。図７に示されたＯＦＤＭ受信回路は３つの復調パスを含む。３つの復調パスのうちの第１の復調パスは、第１のダウンコンバージョンミキサ３３Ａ、第１の可変利得増幅器３５Ａ、第１のアナログフィルタ３７Ａ、第１のオーバサンプリングＡＤＣ３９Ａ、第１のデジタルフィルタ４１Ａ、及び第１の復調器４３Ａを含むことができる。３つの復調パスのうちの第２の復調パスは、第２のアナログフィルタ３７Ｂ、第２のオーバサンプリングＡＤＣ３９Ｂ、第２のデジタルフィルタ４１Ｂ、及び第２の復調器４３Ｂを含むことができる。３つの復調パスのうちの第３の復調パスは、第３のアナログフィルタ３７Ｃ、第３のオーバサンプリングＡＤＣ３９Ｃ、第３のデジタルフィルタ４１Ｃ、及び第３の復調器４３Ｃを含むことができる。
【００５０】
復調パスがダウンコンバージョンミキサ３３Ａ、３３Ｂ、及び３３Ｃから始まることを除いては、図７に示されたＯＦＤＭ受信回路は図３に示されたＯＦＤＭ受信回路と同一であるので、図７に示されたＯＦＤＭ受信回路の各構成要素の詳細な説明はここでは省略する。
【００５１】
図８は、本出願の第４の実施形態によるＯＦＤＭ受信回路を示す図である。図８に示すように、ＯＦＤＭ受信回路は、３つの変調パス、オーバサンプリングＡＤＣとナイキストレートＡＤＣとの組み合わせを有することができ、復調パスはダウンコンバージョンミキサから始まることができる。
【００５２】
復調パスがダウンコンバージョンミキサ３３Ａ、３３Ｂ、及び３３Ｃから始まることを除いては、図８に示されたＯＦＤＭ受信回路は図６に示されたＯＦＤＭ受信回路と同一であるので、図８に示されたＯＦＤＭ受信回路の各構成要素の詳細な説明はここでは省略する。
【００５３】
「１つの実施形態」、「実施形態」、「例示的実施形態」等への本明細書内での言及は、実施形態と関連して説明される特定の特徴、構造または特性が本発明の少なくとも１つの実施形態に含まれるということを意味する。本明細書の様々な場所でのかかる表現の出現は、必ずしも全て同じ実施形態に関連するというわけではない。更に、特定の特徴、構造または特性がいずれかの実施形態と関連して説明される場合、実施形態のうちの別の実施形態と関連してかかる特徴、構造または特性に影響を及ぼすということは当業者の範囲内にあると考えられる。更に、理解を容易にするために、特定の方法の手順は、別個の手順として説明されたかもしれない。しかしながら、これらの別個に説明された手順は、手順の実施に依存した絶対的な順番として解釈されなければならないというわけではない。即ち、いくつかの手順は、別の順番で、同時に、その他で実施することができる。
【００５４】
上記のように、ＯＦＤＭ受信回路及びＯＦＤＭ受信方法の実施形態は、サンプリング周波数とＯＳＲとの間の相関を克服し、サンプリング周波数を大きく増やすことなしにＯＳＲを増加することができるといったような様々な利点を有する。それは、オーバサンプリングＡＤＣの性能及び／または回路の全体性能を改善することができる。
【００５５】
特に、従来のＣＤＭＡによれば、ＣＤＭＡ信号は帯域全体に対して拡散されるので、フィルタリング、デジタル変換、及び復調を各周波数について実施することができない。しかしながら、本出願によれば、ＯＦＤＭ信号の帯域は複数のサブキャリアに分割されるので、ＯＦＤＭ信号を複数の帯域に分割することによりＯＦＤＭ信号を処理することが可能である。本発明概念は、概して、ＯＦＤＭ信号のかかる特性を利用して、ＯＦＤＭ信号を複数の帯域に分割することによりオーバサンプリングを実施することができ、オーバサンプリングＡＤＣの性能を改善することができる。
【００５６】
本出願のＯＦＤＭ受信回路の実施形態によれば、ＯＦＤＭ信号の帯域は、不規則に分割されてもよく、選択的に分割されてもよく、予め定められた方法等で分割されてもよく、復調パスの各々は、対応する分割された帯域をオーバサンプリングデジタル変換を実施し、デジタルフィルタリングし、復調することができる。更に、ＯＦＤＭ信号の帯域は不規則に分割されてもよく、復調パスの各々は、分割された帯域のうちの対応する帯域にＡＤＣの各々の負荷を実質的に均等にすることができる。
【００５７】
前述の実施形態及び利点は、単に例示的であって、概して本発明概念を限定するものと解釈してはならない。本教示は、他の種類の装置に容易に適用することができる。概して、本発明概念についての詳細な説明は、実例となることを意図し、特許請求の範囲を限定することを意図していない。多くの選択肢、変更態様、及び変化形が、当業者に明らかである。特許請求の範囲において、ミーンズプラスファンクションクローズは、列挙した機能を実施するときに本明細書において記載された構造、及び、構造上の均等物だけでなく均等の構造を対象とすることを意図している。この開示において使用されるように、用語「望ましくは」は排他的ではなくて「望ましいが限定ではない」ということを意味する。特許請求の範囲の用語は、本明細書に記載の概括的な発明概念と一致する用語の最も幅広い解釈を与えられなければならない。例えば、用語「結合する」、「接続する」（及びそれらの派生形）は、直接及び間接的な接続／結合を暗示するために使用される。別の例として、「備える」、「有する」、それらの派生語、類似する中間形態の用語または文言は、「含む」と同義的に使用される（即ち、全ては「制約がない」用語とみなされる）。文言「〜で構成される」及び「基本的に〜で構成される」だけが「制約がある」とみなされるべきである。文言「〜する手段」及び付随する機能が請求項に現れない限りかつ該請求項がかかる機能を実施するのに十分な構造を記載していないのでない限り、特許請求の範囲は１１２条第６パラグラフの下で解釈されるべきではない。
【図１】
2010508762.tif 000004
【図２】
2010508762.tif 000005
【図３】
2010508762.tif 000006
【図４ａ】
2010508762.tif 000007
【図４ｂ】
2010508762.tif 000008
【図４ｃ】
2010508762.tif 000009
【図５ａ】
2010508762.tif 000010
【図５ｂ】
2010508762.tif 000011
【図５ｃ】
2010508762.tif 000012
【図５ｄ】
2010508762.tif 000013
【図６】
2010508762.tif 000014
【図７】
2010508762.tif 000015
【図８】
2010508762.tif 000016
【国際調査報告】
2010508762.tif 000017